(57)【特許請求の範囲】
【請求項１】
機体を旋回走行可能に支持する走行装置（４，５）と、この走行装置（４，５）の走行動力を無段階に変速伝動する静油圧式無段変速機（８）と、この静油圧式無段変速機（８）を条件に応じて変速制御する変速制御部（６０）とを備えて対地作業走行可能なトラクタにおいて、
前記変速制御部（６０）は、前記走行装置（４，５）による旋回走行に応じて、所定の走行指示速度から増速側に変速制御する旋回時増速制御に移行する増速モードスイッチ（６１ａ）および所定の走行指示速度から減速側に変速制御する旋回時減速制御に移行する減速モードスイッチ（６１ｂ）を備え、
前記走行装置（４，５）の左右の独立ブレーキと、それぞれのブレーキペダル（２１Ｌ，２１Ｒ）と、これら左右のブレーキペダル（２１Ｌ，２１Ｒ）を連結位置で一体化するロック板（２３）とを設け、このロック板（２３）が前記連結位置の場合に、前記変速制御部（６０）により、増速モードスイッチ（６１ａ）による変速制御を規制することを特徴とするトラクタ。
【請求項２】
前記機体に傾斜センサ（６２）を設け、前記機体が所定以上に傾斜した場合に、前記変速制御部（６０）により、前記増速モードスイッチ（６１ａ）による変速制御を規制することを特徴とする請求項１に記載のトラクタ。
【請求項３】
前記機体に傾斜センサ（６２）を設け、前記機体の傾斜の変化量が所定以上の場合に、前記変速制御部（６０）により、前記増速モードスイッチ（６１ａ）による旋回時増速制御を規制することを特徴とする請求項２に記載のトラクタ。
【請求項４】
前記機体に車速センサ（６３）を設け、前記ロック板（２３）が前記連結位置であって、車速が所定以上の場合に、前記変速制御部（６０）により、前記増速モードスイッチ（６１ａ）による旋回時増速制御を規制することを特徴とする請求項１から請求項３のいずれかに記載のトラクタ。
【請求項５】
前後進切換手段（２７）による機体の後進走行を検知する前後進センサ（２７ｓ）を設け、前記変速制御部（６０）により、前記増速モードスイッチ（６１ａ）による旋回時増速制御を後進走行について規制することを特徴とする請求項１から請求項４のいずれかに記載のトラクタ。
【発明の詳細な説明】
【技術分野】
【０００１】
本発明は、無段変速機を備えて圃場整地走行する作業車両であるトラクタに関するものである。
【背景技術】
【０００２】
静油圧式無段変速伝動機構を備える圃場整地用のトラクタは、特許文献１に示すように、変速制御部により、一定車速で作業走行することができ、特に、往復作業走行を順次繰り返す圃場作業の際に機体旋回時に限って増速制御する旋回増速制御により、旋回前後の煩わしい変速操作を要することなく、圃場端において速やかに折り返して次の一定車速の作業走行に効率よく移行することができる。
【先行技術文献】
【特許文献】
【０００３】
【特許文献１】特許第５４７２３９７号公報
【発明の概要】
【発明が解決しようとする課題】
【０００４】
しかしながら、安全走行のために機体旋回と連動して減速したい場合があり、その一方で、作業時間の短縮等のために旋回連動の増速も必要であり、両方を共に満たすことができないという問題があった。
【０００５】
本発明の課題は、静油圧式無段変速伝動機構を備えて所定速度で走行しつつ、旋回走行時に限定して増速する旋回時増速制御に加え、旋回走行時に限定して減速する旋回時減速制御の選択を可能とするトラクタを提供することにある。
【課題を解決するための手段】
【０００７】
請求項１に係る発明は、機体を旋回走行可能に支持する走行装置（４，５）と、この走行装置（４，５）の走行動力を無段階に変速伝動する静油圧式無段変速機（８）と、この静油圧式無段変速機（８）を条件に応じて変速制御する変速制御部（６０）とを備えて対地作業走行可能なトラクタにおいて、
前記変速制御部（６０）は、前記走行装置（４，５）による旋回走行に応じて、所定の走行指示速度から増速側に変速制御する旋回時増速制御に移行する増速モードスイッチ（６１ａ）および所定の走行指示速度から減速側に変速制御する旋回時減速制御に移行する減速モードスイッチ（６１ｂ）を備え、
前記走行装置（４，５）の左右の独立ブレーキと、それぞれのブレーキペダル（２１Ｌ，２１Ｒ）と、これら左右のブレーキペダル（２１Ｌ，２１Ｒ）を連結位置で一体化するロック板（２３）とを設け、このロック板（２３）が前記連結位置の場合に、前記変速制御部（６０）により、増速モードスイッチ（６１ａ）による変速制御を規制することを特徴とする。
【０００８】
請求項２に係る発明は、請求項１に係る発明において、前記機体に傾斜センサ（６２）を設け、前記機体が所定以上に傾斜した場合に、前記変速制御部（６０）により、前記増速モードスイッチ（６１ａ）による変速制御を規制することを特徴とする。
【０００９】
請求項３に係る発明は、請求項２に係る発明において、前記機体に傾斜センサ（６２）を設け、前記機体の傾斜の変化量が所定以上の場合に、前記変速制御部（６０）により、前記増速モードスイッチ（６１ａ）による旋回時増速制御を規制することを特徴とする。
【００１０】
請求項４に係る発明は、請求項１から請求項３のいずれかに係る発明において、
前記機体に車速センサ（６３）を設け、前記ロック板（２３）が前記連結位置であって、車速が所定以上の場合に、前記変速制御部（６０）により、前記増速モードスイッチ（６１ａ）による旋回時増速制御を規制することを特徴とする。
【００１１】
請求項５に係る発明は、請求項１から請求項４のいずれかに係る発明において、前後進切換手段（２７）による機体の後進走行を検知する前後進センサ（２７ｓ）を設け、前記変速制御部（６０）により、前記増速モードスイッチ（６１ａ）による旋回時増速制御を後進走行について規制することを特徴とする。
【発明の効果】
【００１２】
請求項１に係る発明により、変速制御部（６０）は静油圧式無段変速機（８）を条件に応じて所定速度に変速制御し、この静油圧式無段変速機（８）から走行動力を走行装置（４，５）に受けることにより機体が所定速度で走行され、この場合において、増速モードスイッチ（６１ａ）または減速モードスイッチ（６１ｂ）によって選択されたモードにより、変速制御部（６０）が機体の旋回走行に応じて増速側または減速側に前記静油圧式無段変速機（８）を変速制御することから、旋回時の走行車速の増速または減速をスイッチ操作によって任意に選択できるので、オペレータの意に沿った旋回走行が可能となる。
【００１３】
加えて、連結位置のロック板（２３）によって左右の独立ブレーキを一体化した場合は、旋回時増速制御の規制により、増速モードスイッチ（６１ａ）による増速モードの選択であっても、増速なしに旋回走行することから、左右のブレーキペダル（２１Ｌ，２１Ｒ）の連結による移動走行の場合、特に、倉庫等の屋内における機体位置調節の際に、増速モードスイッチ（６１ａ）の解除操作を要することなく、機体の安全な旋回移動が可能となる。
【００１４】
請求項２に係る発明により、請求項１に係る発明の効果に加え、前記変速制御部（６０）は、前記機体が所定以上に傾斜した場合に前記増速モードスイッチ（６１ａ）による旋回時増速制御が規制されることから、傾斜地における増速モードスイッチ（６１ａ）の解除操作を要することなく、旋回走行時の増速による走行の不安定化や機体の転倒を防止することができる。
【００１５】
請求項３に係る発明により、請求項２に係る発明の効果に加え、前記変速制御部（６０）は、前記機体の傾斜変化が所定以上に激しい場合に前記増速モードスイッチ（６１ａ）による旋回時増速制御が規制されることから、凹凸の激しい枕地等における増速モードスイッチ（６１ａ）の解除操作を要することなく、旋回走行時の増速による走行の不安定化を防止することができる。
【００１６】
請求項４に係る発明により、請求項１から請求項３のいずれかに係る発明の効果に加え、前記変速制御部（６０）は、前記ロック板（２３）が前記連結位置で車速が所定以上の場合に前記増速モードスイッチ（６１ａ）による旋回時増速制御が規制されることから、路上等における高速の移動走行の際に、増速モードスイッチ（６１ａ）の解除操作を要することなく、機体の安全な旋回移動走行が可能となり、特に、増速モードスイッチ（６１ａ）の切り忘れのバックアップを確保することができる。
【００１７】
請求項５に係る発明により、請求項１から請求項４のいずれかに係る発明の効果に加え、後進走行の場合に前記増速モードスイッチ（６１ａ）による旋回時増速制御が規制されることから、増速モードスイッチ（６１ａ）の解除操作を要することなく、機体の安全な旋回後進が可能となる。
【図面の簡単な説明】
【００１８】
【図１】トラクタの平面図
【図２】トラクタの側面図
【図３】ブレーキペダルの要部拡大図
【図４】変速伝動装置の伝動系統展開図
【図５】走行車速の制御構成図
【図６】圃場走行例の平面図
【発明を実施するための形態】
【００１９】
上記技術思想に基づいて具体的に構成された実施の形態について以下に図面を参照しつつ説明する。
図１、図２は、本発明の適用対象となる作業車両の一例として示すトラクタの平面図および側面図である。このトラクタ１は、前後の走行車輪４，５によって圃場作業可能に機体を支持し、機体前部に配置のエンジン７の動力を受けて走行車輪４，５に無段変速伝動する変速伝動系を内設した変速伝動装置を備えるとともに、後部連結の耕耘用ロータリ等の作業機を駆動可能に構成する。
【００２０】
また、走行操作および作業機操作の操作具として、操舵ハンドル１３の周りに、クラッチペダル２０、ブレーキペダル２１、アクセルペダル２２、前後進レバー２７、また、作業座席１２の周りに、主変速レバー３０、副変速レバー３１、作業機昇降レバー３３が配置される。
【００２１】
ブレーキペダル２１については、ブレーキペダルの要部拡大図を図３に示すように、左右独立のブレーキペダル２１Ｌ，２１Ｒによって左右の独立ブレーキを操作を可能としつつ、両ペダルを連結位置にて連結するロック板２３により、圃場外の移動走行時に両者を連結して一体操作可能に構成し、また、ロック板２３の連結位置センサである左右ブレーキ連結解除ペダル入切検出スイッチ２３ｓを付帯する。
【００２２】
（伝動系）
変速伝動装置は、その伝動系統展開図を図４に示すように、エンジン７からクラッチ４２を経てＨＳＴと略称される静油圧式無段変速機８の入力軸４６にエンジン動力を受け、変速軸５０と同速軸５１に分けて出力する。入力軸４６は、油圧ポンプ４７を駆動するとともに同速軸５１に作業機動力を出力し、また、油圧ポンプ４７はトラニオンアーム４８によって油圧モータ４９を正逆転の範囲で無段階に回転調節して変速軸５０に走行動力を出力する。
【００２３】
変速軸５０は、３段切換えの副変速部９を経て走行動力を後輪５に伝動するとともに、２段切換えの前輪増速部１０を経由して前輪４に走行動力を正逆転について無段変速伝動し、また、同速軸５１は、ＰＴＯ正逆転切換部５３から中継軸５４と３段切換えの変速部５５を経てＰＴＯ軸１１に作業動力を伝動する。
【００２４】
（変速制御）
図５は、走行車速の制御制御構成図である。走行車速の制御構成は、コントローラ６０によってトラニオンアーム４８を回動制御することによって走行車速を制御可能に構成する。車速制御の入力信号として、前後進選択のリニアレバー２７の前後進センサである前後進位置検知スイッチ２７ｓ、車速調節用の主変速レバー３０のレバー位置センサ３０ｓ、傾斜センサ６２、車速センサ６３、ブレーキ連結解除ペダル入切検出スイッチ２３ｓ、ブレーキペダルセンサ２１ｓ、クラッチペダル検出スイッチ２０ｓ等の信号をコントローラ６０に入力するとともに、旋回車速の調節のための増速モードスイッチ６１ａ、減速モードスイッチ６１ｂを設けてコントローラ６０に入力する。
【００２５】
コントローラ６０は、主変速レバー３０のレバー位置に応じた速度で車速調節を可能とし、また、増速モードスイッチ６１ａ、減速モードスイッチ６１ｂは、適用除外のモードオフを含め、択一操作可能に構成し、増速または減速のモード選択により、主変速レバー３０によって規定される車速を、旋回走行時に限定して増速する旋回時増速制御に加え、旋回走行時に限定して減速する旋回時減速制御の選択を可能に構成する。
【００２６】
具体的には、圃場走行例の平面図を図６に示すように、主変速レバー３０を所定の操作位置に合せて最適の作業車速を維持しつつ走行する往復作業走行Ａにおいて、増速モードを選択することにより、圃場端で直線走行から旋回走行に入ると、主変速レバー３０の操作を要することなく、増速側に車速が制御されて速やかに旋回走行することができ、次の直線走行に入ると元の作業速度に移行することから、圃場端毎の折返し走行の繰り返しを効率よく進めることができる。
【００２７】
また、圃場周縁部の周回作業走行Ｂにおいて、減速モードを選択することにより、圃場端で後進旋回走行に入ると、主変速レバー３０の操作を要することなく、低速側に車速が制御されて慎重に後進旋回走行することができ、次の直線走行に入ると元の作業速度に移行することから、圃場コーナー毎の確実な切り返し走行が可能となる。
【００２８】
次に、ロック板２３の取扱いに基づく旋回車速調節について説明する。
ブレーキ連結解除ペダル入切検出スイッチ２３ｓの信号により、ロック板２３を連結位置に切替えて左右のブレーキペダル２１Ｌ，２１Ｒを連結した場合について、増速モードスイッチ６１ａと減速モードスイッチ６１ｂによる旋回車速調節を規制する制御をコントローラ６０に設ける。
【００２９】
上記制御構成により、ロック板２３を連結位置から戻した場合に限定して増速モードスイッチ６１ａと減速モードスイッチ６１ｂが有効となることから、ロック板２３を連結位置に切替えて圃場外を移動走行する際は、増速モードスイッチ６１ａの解除操作を要することなく、主変速レバー３０の操作に対応した通常の旋回車速を確保することができ、オペレータが増速モードスイッチ６１ａを切り忘れた場合もカバーすることができる。
【００３０】
また、増速モードスイッチ６１ａによる旋回時増速について、ロック板２３を連結位置に切替えた場合に、旋回時減速に切替える制御を設けることにより、納屋等に機体を収容する際に、増速モードスイッチ６１ａの解除を失念したまま切り返し操作して増速する危険な事態を回避するとともに、機体移動の微調整が容易となる。
【００３１】
次に、傾斜地の走行によって機体が所定の傾斜を超えた場合について、傾斜センサ６２の検出によって増速モードスイッチ６１ａによる旋回時増速調節を規制する制御を設けることにより、傾斜地における旋回時の増速による不安定走行や機体の転倒の危険を低減することができる。
【００３２】
また、傾斜地の走行によって機体が所定の傾斜を超えた場合について、傾斜センサ６２の検出によって増速モードスイッチ６１ａによる旋回時増速を逆に旋回時減速に切替える制御を設けることにより、傾斜地における旋回の際に、さらに走行の安定化を図ることができる。
【００３３】
また、圃場の枕地等の凹凸部の走行により所定の程度を超えて傾斜変化が激しい場合に、傾斜センサ６２による傾斜変化の検出により、増速モードスイッチ６１ａによる旋回時増速調節を規制する制御を設けることにより、乗り心地の向上、安定走行による安全性の向上が可能となる。
【００３４】
次に、ロック板２３を連結位置として所定車速を超えて走行した場合に、ブレーキ連結解除ペダル入切検出スイッチ２３ｓと車速センサ６３の検出信号により、増速モードスイッチ６１ａによる旋回時増速調節を規制するようにコントローラ６０を構成することにより、高速の移動走行時において、旋回時増速調節による危険性をを抑えることができ、オペレータの切り忘れもカバーすることができる。
【００３５】
次に、減速モードスイッチ６１ｂについては、後進旋回時に限定して旋回時減速調節し、前進旋回時の減速調節を規制することにより、枕地等の切り返しの際の後退旋回について旋回時減速調節が適用されて安全を確保できるとともに、旋回時減速調節なしの前進走行によって作業性を確保することができる。
【００３６】
また、減速モードスイッチ６１ｂによる旋回時減速制御の別の構成例として、後進旋回時に大なる減速率とし、前進時に小なる減速率とすることにより、一般的に低車速走行の小型トラクタは、前進旋回時の大きな減速は殆ど必要がないことから、枕地等における後進旋回に限って大きく減速調節することにより、安全性および作業性の向上が可能となる。
【００３７】
上記減速モードスイッチ６１ｂによる後進旋回時減速制御については、クラッチペダル２０の踏込み操作によって後進減速モードを解除することにより、操作性を向上することができ、また、ブレーキペダル２１Ｌ，２１Ｒの踏込み操作によって後進減速モードを解除することによっても、同様に操作性を向上することができる。
【００３８】
（ポイント）
上述の構成のトラクタの変速制御技術の大要は、以下のとおりである。
上記トラクタの変速制御部６０は、静油圧式無段変速機８を条件に応じて所定速度に変速制御し、この静油圧式無段変速機８から走行動力を走行装置４，５に受けることにより機体が所定速度で走行され、この場合において、増速モードスイッチ６１ａまたは減速モードスイッチ６１ｂによって選択されたモードにより、変速制御部６０が機体の旋回走行に応じて増速側または減速側に前記静油圧式無段変速機８を変速制御することから、旋回時の走行車速の増速または減速をスイッチ操作によって任意に選択できるので、オペレータの意に沿った旋回走行が可能となる。
【００３９】
連結位置のロック板２３によって左右の独立ブレーキを一体化した場合は、旋回時増速制御の規制により、増速モードの選択であっても、増速なしに旋回走行することから、左右のブレーキペダル２１Ｌ，２１Ｒの連結による移動走行の場合、特に、倉庫等の屋内における機体位置調節の際に、増速モードスイッチ６１ａの解除操作を要することなく、機体の安全な旋回移動が可能となる。
【００４０】
機体が所定以上に傾斜した場合は、前記増速モードの選択による旋回時増速制御が規制されることから、傾斜地における増速モードスイッチ６１ａの解除操作を要することなく、旋回走行時の増速による走行の不安定化や機体の転倒を防止することができる。
【００４１】
機体の傾斜変化が所定以上に激しい場合は、前記増速モードによる旋回時増速制御が規制されることから、凹凸の激しい枕地等における増速モードスイッチ６１ａの解除操作を要することなく、旋回走行時の増速による走行の不安定化を防止することができる。
【００４２】
前記ロック板２３が前記連結位置で車速が所定以上の場合に前記増速モードの選択による旋回時増速制御が規制されることから、路上等における高速の移動走行の際に、増速モードスイッチ６１ａの解除操作を要することなく、機体の安全な旋回移動走行が可能となり、特に、増速モードスイッチ６１ａの切り忘れのバックアップを確保することができる。
【００４３】
後進走行の場合は、前記増速モードによる旋回時増速制御が規制されることから、増速モードスイッチ６１ａの解除操作を要することなく、機体の安全な旋回後進が可能となる。
【符号の説明】
【００４４】
１      トラクタ
４      前輪(走行装置)
５      後輪(走行装置)
８      静油圧式無段変速機
２１Ｌ  ブレーキペダル
２１Ｒ  ブレーキペダル
２３    ロック板
２３ｓ  連結位置センサ(連結解除ペダル入切検出スイッチ)
２７    前後進切換手段(リニアレバー)
２７ｓ  前後進センサ(リニアレバー位置検知スイッチ)
６０    変速制御部
６１ａ  増速モードスイッチ
６１ｂ  減速モードスイッチ
６２    傾斜センサ
６３    車速センサ
【図１】
0006417811.tif 000002
【図２】
0006417811.tif 000003
【図３】
0006417811.tif 000004
【図４】
0006417811.tif 000005
【図５】
0006417811.tif 000006
【図６】
0006417811.tif 000007